(57)【要約】【課題】液体噴射装置に着脱自在に装着される液体収容容器であって、その液体収容容器よりも着脱時の挿抜方向における長さが長く形成された他の液体収容容器と並列状態で液体噴射装置に装着される場合でも、液体噴射装置に対する着脱作業を容易に行うことが可能な液体収容容器を提供する。【解決手段】ショートインクカートリッジ２２Ａは、インクジェット式プリンタのカートリッジホルダに着脱自在に装着され、該カートリッジホルダに対する着脱時における挿抜方向（前後方向）の長さをロングインクカートリッジ２２Ｂに対して補う取手部３４を備える。【選択図】図４
2008246957.tif 000002
【特許請求の範囲】
【請求項１】
液体を噴射する液体噴射装置に着脱自在に装着される液体収容容器であって、
前記液体噴射装置に対する着脱時に把持可能な取手部を備え、
該取手部は、前記液体噴射装置に対する着脱時の挿抜方向における前記液体収容容器の長さを補うように設けられていることを特徴とする液体収容容器。
【請求項２】
前記取手部は、前記挿抜方向の長さを補う第１の位置態様と、前記挿抜方向の長さを補わない第２の位置態様との間で変位可能に構成されていることを特徴とする請求項１に記載の液体収容容器。
【請求項３】
前記取手部は、該取手部を前記第１の位置態様と前記第２の位置態様との間で回動可能とするヒンジ部を備えていることを特徴とする請求項２に記載の液体収容容器。
【請求項４】
前記取手部は、該取手部を前記第１の位置態様と前記第２の位置態様との間でスライド移動可能とするスライド部を備えていることを特徴とする請求項２に記載の液体収容容器。
【請求項５】
前記取手部は、前記第２の位置態様にある場合、その取手部の外面が液体収容容器において前記取手部と隣接する面と面一になっていることを特徴とする請求項２〜請求項４のうちいずれか一項に記載の液体収容容器。
【請求項６】
前記取手部は、ユーザが前記液体噴射装置に対して液体収容容器を着脱する際に手を掛けるための引っ掛け部を備えていることを特徴とする請求項１〜請求項５のうちいずれか一項に記載の液体収容容器。
【請求項７】
液体を噴射する液体噴射装置に着脱自在に装着される液体収容容器であって、
前記液体収容容器の第１の側部には、前記液体噴射装置に接続され、前記液体を前記液体噴射装置に供給するための液体供給口が設けられ、
前記液体収容容器における前記第１の側部と対向する第２の側部には、前記液体収容容器の前記液体噴射装置への着脱時に把持可能な取手部が前記液体収容容器に格納可能に配設されていることを特徴とする液体収容容器。
【発明の詳細な説明】
【技術分野】
【０００１】
本発明は、例えばインクジェット式プリンタ等の液体噴射装置に装着される液体収容容器に関する。
【背景技術】
【０００２】
従来、記録ヘッドからインク（液体）をターゲットに対して噴射する液体噴射装置として、インクジェット式プリンタ（以下、単に「プリンタ」と言う）が知られている。こうしたプリンタには、インクを収容したインクカートリッジ（液体収容容器）をプリンタの所定箇所に着脱可能に装着し、このインクカートリッジから記録ヘッドに対してインクを加圧供給する、いわゆるオフキャリッジタイプのものがある（例えば、特許文献１）。
【０００３】
この特許文献１のプリンタでは、４つのインクカートリッジがカートリッジホルダ内に横並びに配置されているが、これら各インクカートリッジにおいて他のインクカートリッジよりも各インクカートリッジが並ぶ方向と直交する方向の長さが短いインクカートリッジ（液体収容容器）を混在させて使用する場合がある。すなわち、プリンタに対する着脱時における挿抜方向の長さを互いに異にする複数のインクカートリッジが並列状態となって装着されることがある。そして、このような場合には、挿抜方向の長さが短いインクカートリッジは、そのインクカートリッジよりも挿抜方向の長さが長いインクカートリッジよりも奥に入り込んで装着されることとなる。
【特許文献１】特開２００６−２４７９７０号公報
【発明の開示】
【発明が解決しようとする課題】
【０００４】
このため、各インクカートリッジが並列状態に装着された場合において、挿抜方向の長さが短いインクカートリッジが、挿抜方向の長さが長いインクカートリッジ間に配置されると、これら両側の長いインクカートリッジが障害となって、短いインクカートリッジの着脱作業を行うことが困難になってしまうという問題があった。
【０００５】
本発明は、このような従来技術に存在する問題点に着目してなされたものである。その目的とするところは、液体噴射装置に着脱自在に装着される液体収容容器であって、その液体収容容器よりも着脱時の挿抜方向における長さが長く形成された他の液体収容容器と並列状態で液体噴射装置に装着される場合でも、液体噴射装置に対する着脱作業を容易に行うことが可能な液体収容容器を提供することにある。
【課題を解決するための手段】
【０００６】
上記目的を達成するために、本発明の液体収容容器は、液体を噴射する液体噴射装置に着脱自在に装着される液体収容容器であって、前記液体噴射装置に対する着脱時に把持可能な取手部を備え、該取手部は、前記液体噴射装置に対する着脱時の挿抜方向における前記液体収容容器の長さを補うように設けられている。
【０００７】
例えば、液体噴射装置に対する着脱時の挿抜方向における長さを互いに異にする複数の液体収容容器が並列状態となって装着される場合には、挿抜方向における長さが短い液体収容容器は、その液体収容容器よりも挿抜方向における長さが長い液体収容容器よりも奥に入り込んで装着されることとなる。このため、各液体収容容器が並列状態に装着された場合において、挿抜方向における長さが短い液体収容容器が、挿抜方向における長さが長い液体収容容器間に配置されると、これら両側の長い液体収容容器が障害となって、長さが短い液体収容容器の着脱作業を行うことが困難になってしまう。この点、この発明によれば、挿抜方向における長さが短い液体収容容器が取手部を備えることで、該液体収容容器の挿抜方向における長さが補われるようになる。したがって、液体噴射装置に着脱自在に装着される液体収容容器であって、その液体収容容器よりも着脱時の挿抜方向における長さが長く形成された他の液体収容容器と並列状態で液体噴射装置に装着される場合でも、液体噴射装置に対する着脱作業を容易に行うことが可能となる。
【０００８】
本発明の液体収容容器において、前記取手部は、前記挿抜方向の長さを補う第１の位置態様と、前記挿抜方向の長さを補わない第２の位置態様との間で変位可能に構成されている。
【０００９】
この発明によれば、液体収容容器の挿抜方向の長さが変更可能となるため、該液体収容容器を装着する液体噴射装置の種類に応じて柔軟に対応することが可能となる。
本発明の液体収容容器において、前記取手部は、該取手部を前記第１の位置態様と前記第２の位置態様との間で回動可能とするヒンジ部を備えている。
【００１０】
この発明によれば、取手部を回動するだけで、液体収容容器の挿抜方向の長さを容易に変更することが可能となる。
本発明の液体収容容器において、前記取手部は、該取手部を前記第１の位置態様と前記第２の位置態様との間でスライド移動可能とするスライド部を備えている。
【００１１】
この発明によれば、取手部をスライド移動するだけで、液体収容容器の挿抜方向の長さを容易に変更することが可能となる。
本発明の液体収容容器において、前記取手部は、前記第２の位置態様にある場合、その取手部の外面が液体収容容器において前記取手部と隣接する面と面一になっている。
【００１２】
この発明によれば、取手部が第２の位置態様にある場合に、該取手部と隣接する面との間で段差が生じないので、液体収容容器の外観が良好となる。
本発明の液体収容容器において、前記取手部は、前記液体噴射装置に対して液体収容容器を着脱する際にユーザが手を掛けるための引っ掛け部を備えている。
【００１３】
この発明によれば、液体噴射装置に対して液体収容容器を着脱する際に、取手部を持ちやすくすることが可能となる。
本発明の液体収容容器は、液体を噴射する液体噴射装置に着脱自在に装着される液体収容容器であって、前記液体収容容器の第１の側部には、前記液体噴射装置に接続され、前記液体を前記液体噴射装置に供給するための液体供給口が設けられ、前記液体収容容器における前記第１の側部と対向する第２の側部には、前記液体収容容器の前記液体噴射装置への着脱時に把持可能な取手部が前記液体収容容器に格納可能に配設されている。
【００１４】
この発明によれば、液体収容容器を液体噴射装置に対して着脱する際には取手部を把持することで、液体収容容器の液体噴射装置に対する着脱作業を容易に行うことが可能となる一方、液体収容容器を液体噴射装置に対して装着した後または液体収容容器を液体噴射装置から取り外した後に取手部を液体収容容器に格納することで、液体収容容器をコンパクトにすることが可能となる。
【発明を実施するための最良の形態】
【００１５】
以下、本発明の液体噴射装置をインクジェット式プリンタに具体化した一実施形態を図面に基づいて説明する。なお、以下の説明において、「前後方向」、「上下方向」及び「左右方向」をいう場合は、特に説明がない限り、図１を基準とした場合の「前後方向」、「上下方向」及び「左右方向」と一致するものとする。
【００１６】
図１に示すように、液体噴射装置としてのインクジェット式プリンタ１１はフレーム１２を備えており、該フレーム１２内にはプラテン１３が設けられている。プラテン１３上には、図示しない紙送り機構により図示しない記録用紙が後方側から前方側に向かって給送されるようになっている。また、フレーム１２内には、プラテン１３の長手方向である左右方向に沿ってガイド軸１４が架設されている。
【００１７】
ガイド軸１４には、キャリッジ１５が、該ガイド軸１４の軸線方向に往復移動可能に支持されている。キャリッジ１５は、フレーム１２内の後面に設けられた一対のプーリ１６間に張設されたタイミングベルト１７を介してフレーム１２の背面に設けられたキャリッジモータ１８に連結されている。そして、キャリッジ１５は、キャリッジモータ１８の駆動により、ガイド軸１４に沿って往復移動されるようになっている。
【００１８】
キャリッジ１５の下面には、液体噴射ヘッドとしての記録ヘッド１９が設けられている。また、キャリッジ１５上には、一時貯留した液体としてのインクを記録ヘッド１９に供給するバルブユニット２０が、インクジェット式プリンタ１１に使用されるインクの色（種類）に対応して複数個（本実施形態では４個）備えられている。なお、記録ヘッド１９の下面には、複数のノズル（図示略）が設けられており、該各ノズル（図示略）からプラテン１３上に給送された記録用紙（図示略）にインクが噴射されて印刷が行われるようになっている。
【００１９】
図１におけるフレーム１２の右端部には、カートリッジホルダ２１が設けられている。このカートリッジホルダ２１には、直方体状のインクカートリッジ２２が着脱可能に複数個（本実施形態では４つ）装着されており、各インクカートリッジ２２は左右方向に並列した状態で配置されている。
【００２０】
この場合、並列された４つのインクカートリッジ２２のうち右から２番目に配置されたインクカートリッジ２２は、他の３つのインクカートリッジ２２に比べて前後方向の長さが短い液体収容容器としてのショートインクカートリッジ２２Ａとされている。一方、並列された４つのインクカートリッジ２２のうちショートインクカートリッジ２２Ａ以外の３つのインクカートリッジ２２は、互いに大きさが同じであるロングインクカートリッジ２２Ｂとされている。なお、ショートインクカートリッジ２２Ａとロングインクカートリッジ２２Ｂとは、左右方向の幅及び上下方向の高さが同じになっている。
【００２１】
そして、各インクカートリッジ２２は、カートリッジホルダ２１に対して前方から後方に向って挿し込むことで装着され、カートリッジホルダ２１に装着された状態から後方に向って引き抜くことでカートリッジホルダ２１から取り外されるようになっている。したがって、本実施形態では、カートリッジホルダ２１に対する各インクカートリッジ２２の着脱時における挿抜方向が前後方向と一致している。
【００２２】
各インクカートリッジ２２内には、互いに異なる種類（色）のインクが充填された可撓性を有する袋状のインクパック２４がそれぞれ収容されている。この場合、ショートインクカートリッジ２２Ａ内に収容されたインクパック２４は、ロングインクカートリッジ２２Ｂに収容されたインクパック２４よりも容量及び大きさが小さいスモールインクパック２４Ａとされている。一方、ロングインクカートリッジ２２Ｂに収容されたインクパック２４は、スモールインクパック２４Ａよりも容量及び大きさが大きいラージインクパック２４Ｂとされている。
【００２３】
カートリッジホルダ２１には、一端がキャリッジ１５上の各バルブユニット２０とそれぞれ接続された複数本（本実施形態では４本）のインク供給チューブ２５の他端がそれぞれ接続されている。また、カートリッジホルダ２１の上側には、加圧ポンプ２６が設けられており、該加圧ポンプ２６は複数本（本実施形態では４本）の空気供給チューブ２７を介してカートリッジホルダ２１に接続されている。なお、カートリッジホルダ２１に各インクカートリッジ２２を装着した状態では、該各インクカートリッジ２２は、各インク供給チューブ２５及び各空気供給チューブ２７とそれぞれ接続されるようになっている。
【００２４】
そして、加圧ポンプ２６を駆動すると、各空気供給チューブ２７を介して各インクカートリッジ２２内に空気がそれぞれ圧送されることで、この空気圧により各インクカートリッジ２２内のインクパック２４が加圧されて押し潰され、該インクパック２４内のインクが各インク供給チューブ２５を介して各バルブユニット２０に圧送供給されるようになっている。なお、図１におけるフレーム１２内の右端部寄りの位置であって、キャリッジ１５のホームポジション領域には、記録ヘッド１９のクリーニング等を行うメンテナンスユニット２８が配設されている。
【００２５】
次に、ショートインクカートリッジ２２Ａの構成について詳述する。
図２及び図３に示すように、ショートインクカートリッジ２２Ａは、左側が開口した有底四角箱状をなす本体ケース３０と、該本体ケース３０の開口を塞ぐ蓋ケース３１（図４参照）とを備えている。本体ケース３０内のほとんどは、スモールインクパック２４Ａを収容するための収容部３２となっている。本体ケース３０の前面（第２の側部）５２における下端部には、左右方向に延びる軸３３が設けられている。
【００２６】
また、本体ケース３０の後面（第１の側部）５０には、ショートインクカートリッジ２２Ａをインクジェット式プリンタ１１のカートリッジホルダ２１に装着した際に、カートリッジホルダ２１と接続されてスモールインクパック２４Ａ内のインクをバルブユニット２０側に供給するための液体供給口としてのインク供給口５１が設けられている。
【００２７】
一方、本体ケース３０において後面５０と前後方向において対向する前面（第２の側部）５２には、ショートインクカートリッジ２２Ａをカートリッジホルダ２１に対して着脱する際に把持可能な矩形板状の取手部３４が、本体ケース３０の前面５２全体を覆うように設けられている。この場合、取手部３４の下端部はヒンジ部３５とされており、該ヒンジ部３５は軸３３によって回動可能に支持されている。したがって、取手部３４は、軸３３を中心として回動可能になっている。
【００２８】
すなわち、取手部３４は、本体ケース３０の前面５２全体を覆うように本体ケース３０の前面５２に当接した状態である第２の位置態様（図２及び図３において実線で示す状態）と、該第２の位置態様から軸３３を中心として前方側に倒れるように９０度回動した状態である第１の位置態様（図２及び図３において２点鎖線で示す状態）との間で変位可能になっている。なお、取手部３４は、第２の位置態様にある場合には、ショートインクカートリッジ２２Ａに格納されていると言える。
【００２９】
また、図３の２点鎖線で示すように、取手部３４が第１の位置態様にある場合において、取手部３４の前端縁には、左右方向に長い矩形板状の引っ掛け部３６が立設されている。さらに、取手部３４の前端部には、引っ掛け部３６の左右両端面と取手部３４の上面における左右両端縁とをそれぞれ繋ぐように一対の略三角板状の補強部３７が設けられている。両補強部３７は、引っ掛け部３６を補強して該引っ掛け部３６の強度を増す機能を有している。
【００３０】
また、図３及び図５の実線で示すように、取手部３４が第２の位置態様にある場合において、取手部３４の上面は、該上面と隣接する面である本体ケース３０の上面及び蓋ケース３１の上面と面一になっている。一方、取手部３４が第２の位置態様にある場合において、両補強部３７の外側の面と面一になっている取手部３４の左右両端面は、該左右両端面と隣接する面である蓋ケース３１の左面及び本体ケース３０の右面とそれぞれ面一になっている。
【００３１】
そして、図４に示すように、ショートインクカートリッジ２２Ａの取手部３４を第１の位置態様にした状態では、該取手部３４が、ショートインクカートリッジ２２Ａのロングインクカートリッジ２２Ｂに対する前後方向の長さの差を補うようになっている。すなわち、ショートインクカートリッジ２２Ａの取手部３４を第１の位置態様にした状態で、該ショートインクカートリッジ２２Ａをカートリッジホルダ２１に装着した場合には、ショートインクカートリッジ２２Ａの取手部３４（引っ掛け部３６）の前面とロングインクカートリッジ２２Ｂの前面とが面一になるようになっている。
【００３２】
一方、図５に示すように、ショートインクカートリッジ２２Ａの取手部３４を第２の位置態様にした状態では、該取手部３４が、ショートインクカートリッジ２２Ａのロングインクカートリッジ２２Ｂに対する前後方向の長さの差を補わないようになっている。
【００３３】
次に、３つのロングインクカートリッジ２２Ｂが装着されたカートリッジホルダ２１に対してショートインクカートリッジ２２Ａを着脱するときの作用について説明する。
カートリッジホルダ２１にショートインクカートリッジ２２Ａを装着する場合には、まず、ショートインクカートリッジ２２Ａの取手部３４を回動して第１の位置態様にする。続いて、取手部３４を把持した状態でショートインクカートリッジ２２Ａをカートリッジホルダ２１に挿し込む。
【００３４】
そして、ショートインクカートリッジ２２Ａの本体ケース３０部分が完全にカートリッジホルダ２１に挿し込まれたら、取手部３４の引っ掛け部３６を手で掴みながら、さらにショートインクカートリッジ２２Ａをカートリッジホルダ２１の奥まで挿し込むことで、ショートインクカートリッジ２２Ａがカートリッジホルダ２１に装着される。この場合、カートリッジホルダ２１においてショートインクカートリッジ２２Ａを挿入するためのロングインクカートリッジ２２Ｂ間の間隔はあまり大きくはないが、ショートインクカートリッジ２２Ａの取手部３４が第１の位置態様にあるため、手をカートリッジホルダ２１の奥まで入れる必要がない。
【００３５】
そして、加圧ポンプ２６を駆動すると、各空気供給チューブ２７を介して各インクカートリッジ２２内に空気がそれぞれ圧送されることで、この空気圧により各インクカートリッジ２２内のインクパック２４が加圧されて押し潰され、該インクパック２４内のインクが各インク供給チューブ２５を介して各バルブユニット２０に圧送供給される。このとき、ショートインクカートリッジ２２Ａ及び各ロングインクカートリッジ２２Ｂは、加圧ポンプ２６から圧送される空気圧によって膨張される。
【００３６】
ここで、図５に示すように、カートリッジホルダ２１にショートインクカートリッジ２２Ａを装着した後、ショートインクカートリッジ２２Ａの取手部３４を第２の位置態様にした場合には、ショートインクカートリッジ２２Ａの前側において、該ショートインクカートリッジ２２Ａの左右両隣のロングインクカートリッジ２２Ｂによって挟まれた空間が形成される。この状態で、ショートインクカートリッジ２２Ａの左右両隣のロングインクカートリッジ２２Ｂが加圧されてされると、これら両ロングインクカートリッジ２２Ｂは、該両ロングインクカートリッジ２２Ｂによって挟まれた空間に張り出すように膨張される。このため、両ロングインクカートリッジ２２Ｂが該両ロングインクカートリッジ２２Ｂによって挟まれた空間に張り出すように膨張した状態でクリープ変形してしまうおそれがある。
【００３７】
この点、図４に示すように、カートリッジホルダ２１にショートインクカートリッジ２２Ａを装着した後も、ショートインクカートリッジ２２Ａの取手部３４を第１の位置態様にしておくと、取手部３４が、ショートインクカートリッジ２２Ａの左右両隣のロングインクカートリッジ２２Ｂ間の間隔を確保するスペーサとして機能するようになる。このため、取手部３４により、これら両ロングインクカートリッジ２２Ｂがショートインクカートリッジ２２Ａの前側に張り出すように膨張されることが抑制されるので、該両ロングインクカートリッジ２２Ｂが膨張された状態でクリープ変形することが抑制される。
【００３８】
一方、カートリッジホルダ２１に装着されたショートインクカートリッジ２２Ａを取り外す場合において、ショートインクカートリッジ２２Ａの取手部３４が第２の位置態様にある場合には、まず、取手部３４を第１の位置態様にする。その後、取手部３４の引っ掛け部３６に手を掛けてショートインクカートリッジ２２Ａを前方に引き抜くことで、カートリッジホルダ２１からショートインクカートリッジ２２Ａが取り外される。
【００３９】
なお、カートリッジホルダ２１に装着されたショートインクカートリッジ２２Ａを取り外す場合において、ショートインクカートリッジ２２Ａの取手部３４が第１の位置態様にある場合には、そのまま、取手部３４の引っ掛け部３６に手を掛けてショートインクカートリッジ２２Ａを前方に引き抜けばよい。
【００４０】
以上、詳述した実施形態によれば以下の効果を得ることができる。
（１）ショートインクカートリッジ２２Ａは、該ショートインクカートリッジ２２Ａのカートリッジホルダ２１に対する着脱時における挿抜方向（前後方向）の長さをロングインクカートリッジ２２Ｂの挿抜方向（前後方向）の長さに対して補う取手部３４を備えている。このため、ショートインクカートリッジ２２Ａがロングインクカートリッジ２２Ｂと並列状態でカートリッジホルダ２１に装着される場合でも、ショートインクカートリッジ２２Ａの取手部３４を第１の位置態様にすることで、カートリッジホルダ２１に対するショートインクカートリッジ２２Ａの着脱作業を容易に行うことができる。
【００４１】
（２）ショートインクカートリッジ２２Ａは、取手部３４を第１の位置態様と第２の位置態様との間で回動可能に構成されているため、ショートインクカートリッジ２２Ａの挿抜方向の長さを変更することができる。このため、ショートインクカートリッジ２２Ａを装着するインクジェット式プリンタの種類に応じて柔軟に対応することができる。すなわち、例えば、取手部３４を第２の位置態様にした長さのショートインクカートリッジ２２Ａしか装着できない小型のインクジェット式プリンタに対応することができる。
【００４２】
（３）ショートインクカートリッジ２２Ａは、取手部３４が該取手部３４を第１の位置態様と第２の位置態様との間で回動可能とするヒンジ部３５を備えているため、取手部３４を回動するだけで、ショートインクカートリッジ２２Ａの挿抜方向の長さを容易に変更することができる。
【００４３】
（４）ショートインクカートリッジ２２Ａは、取手部３４が第２の位置態様にある場合、その取手部３４の外面がショートインクカートリッジ２２Ａにおいて取手部３４と隣接する面と面一になっている。このため、取手部３４が第２の位置態様にある場合に、該取手部３４と隣接する面との間で段差が生じないので、ショートインクカートリッジ２２Ａの外観を良好にすることができる。
【００４４】
（５）ショートインクカートリッジ２２Ａは、取手部３４がカートリッジホルダ２１に対してショートインクカートリッジ２２Ａを着脱する際にユーザが手を掛けるための引っ掛け部３６を備えているため、カートリッジホルダ２１に対してショートインクカートリッジ２２Ａを着脱する際に、取手部３４を持ちやすくすることができる。
（変更例）
なお、上記実施形態は以下のように変更してもよい。
【００４５】
・図６（ａ）、（ｂ）に示すように、ショートインクカートリッジ４０において、取手部４１を第１の位置態様（図６（ａ）に示す状態）と第２の位置態様（図７（ａ）に示す状態）との間で前後方向にスライド移動可能に構成してもよい。すなわち、ショートインクカートリッジ４０において、直方体状の本体ケース４２の左右両面には一対のスライド溝４３が形成されており、矩形板状の取手部４１の左右両端部における上下方向の中央部には後方に向かって延びる一対の矩形板状のスライド部４４が設けられている。
【００４６】
取手部４１の両スライド部４４は、本体ケース４２の両スライド溝４３内に前後方向に摺動可能に支持されている。両スライド部４４の後端部には該後端部を内側に直角に屈曲してなる係止部４４ａが設けられており、取手部４１が第１の位置態様にある場合に、両係止部４４ａが両スライド溝４３内の前面４３ａに当接し、両スライド部４４が両スライド溝４３内から前方側に抜け出さないようになっている。そして、取手部４１の上面における左右方向の中央部には、引っ掛け部４５が凹設されている。なお、本体ケース４２には、取手部４１が第１の位置態様及び第２の位置態様にある場合に両スライド溝４３に対する両スライド部４４の前後方向の摺動を規制する図示しないロック機構が設けられている。
【００４７】
また、図７（ａ）、（ｂ）に示すように、取手部４１が第２の位置態様にある場合には、取手部４１の後面と本体ケース４２とが当接するとともに、取手部４１の上下左右の各面と本体ケース４２の上下左右の各面とはそれぞれ面一になっている。さらに、この場合、両スライド部４４の外面と本体ケース４２の左右両面とはそれぞれ面一になっているとともに、両スライド部４４と両スライド溝４３との間には隙間が形成されないようになっている。
【００４８】
このようにすれば、取手部４１をスライド移動するだけで、ショートインクカートリッジ４０のカートリッジホルダ２１に対する挿抜方向（前後方向）の長さを容易に変更することができる。
【００４９】
・取手部３４の引っ掛け部３６は、省略してもよい。
・取手部３４は、第１の位置態様で固定されるようにしてもよい。すなわち、取手部３４を本体ケース３０に対して固設してもよい。
【００５０】
・取手部３４は、本体ケース３０の前面における上下方向の中央部に、軸３３を介して設けるようにしてもよい。この場合、取手部３４が第２の位置態様にある場合には、取手部３４の前面、上面、下面、左面、及び右面の各面が、該各面と隣接する面とそれぞれ面一になるように構成することが好ましい。
【００５１】
・上記実施形態において、液体噴射装置を、記録用紙（図示略）の搬送方向（前後方向）と交差する方向において記録ヘッド１９が記録用紙（図示略）の幅方向（左右方向）の長さに対応した全体形状をなす、いわゆるフルラインタイプ（ラインヘッド方式）のプリンタに具体化してもよい。
【００５２】
・上記実施形態では、液体収容容器をインクカートリッジに具体化したが、インク以外の他の液体（機能材料の粒子が液体に分散又は混合されてなる液状体、ゲルのような流状体を含む）を内部に収容する液体収容容器に具体化することもできる。そして、本明細
書における「液体」には、例えば、無機溶剤、有機溶剤、溶液、液状樹脂、液状金属（金属融液）等を含むほか、液状体、流状体などが含まれる。
【図面の簡単な説明】
【００５３】
【図１】実施形態のインクジェット式プリンタの平面概略図。
【図２】実施形態において、ショートインクカートリッジの内部及び取手部の動作を示す側面図。
【図３】実施形態において、ショートインクカートリッジの内部及び取手部の動作を示す斜視図。
【図４】実施形態において、各インクカートリッジをカートリッジホルダに並列して装着し、ショートインクカートリッジの取手部を第１の位置態様にしたときの状態を示す平面簡略図。
【図５】実施形態において、各インクカートリッジをカートリッジホルダに並列して装着し、ショートインクカートリッジの取手部を第２の位置態様にしたときの状態を示す平面簡略図。
【図６】変更例において、（ａ）は取手部が第１の位置態様にある場合のショートインクカートリッジを示す要部斜視図、（ｂ）は（ａ）の断面図。
【図７】変更例において、（ａ）は取手部が第２の位置態様にある場合のショートインクカートリッジを示す要部斜視図、（ｂ）は（ａ）の断面図。
【符号の説明】
【００５４】
１１…液体噴射装置としてのインクジェット式プリンタ、２２Ａ，４０…液体収容容器としてのショートインクカートリッジ、３４，４１…取手部、３５…ヒンジ部、３６，４５…引っ掛け部、４４…スライド部、５０…第１の側部としての後面、５１…液体供給口としてのインク供給口、５２…第２の側部としての前面。
【図１】
2008246957.tif 000003
【図２】
2008246957.tif 000004
【図３】
2008246957.tif 000005
【図４】
2008246957.tif 000006
【図５】
2008246957.tif 000007
【図６】
2008246957.tif 000008
【図７】
2008246957.tif 000009